(57)【要約】      （修正有）【課題】送風ファンを設定通りに駆動することのできる発熱体収納装置用冷却装置を提供する。【解決手段】制御装置１５は、受信した信号の一定の方向に変化するエッジを検出するエッジ検出手段１７と、所定の時間ごとに前記受信信号のＨｉとＬｏｗを検知する信号判断手段１９と、前記信号判断手段１９の信号をもとに前記第１の送風ファン１２および第２の送風ファン１３の運転指示を行う運転指示手段２０とを有する構成としたことで、通信機器からの信号を正しく受け取ることができるようになり、ファンを設定通りに駆動することができる。【選択図】図３
2010098216.tif 000002
【特許請求の範囲】
【請求項１】
第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信した信号の一定の方向に変化するエッジを検出するエッジ検出手段と、所定の時間ごとに前記受信信号のＨｉとＬｏｗを検知する信号判断手段と、前記信号判断手段の信号をもとに前記第１および第２の送風ファンの運転指示を行う運転指示手段とを有する発熱体収納装置用冷却装置。
【請求項２】
制御装置は、第１および第２の送風ファンの運転状態を検出する運転状態判断手段を備え、運転指示手段は、運転状態判断手段の信号と信号判断手段の信号をもとに前記第１および第２の送風ファンの運転指示を行う請求項１記載の発熱体収納装置用冷却装置。
【請求項３】
制御装置は、運転判断手段の信号を受けて第１および第２の送風ファンの運転状態を発熱体収納装置へ送信する信号置換手段を設けた請求項１および２記載の発熱体収納装置用冷却装置。
【請求項４】
第１または第２のファンの回転数を上げる運転指令と、第１または第２のファンの回転数を下げる運転指令と、第１または第２のファンの状態が最高回転数であることを示す信号と、第１または第２のファンの状態が最低回転数であることを示す信号を有し、発熱体収納装置との間で信号の授受を行う請求項３記載の発熱体収納装置用冷却装置。
【請求項５】
第１または第２のファンの異常を示す信号を有する請求項４記載の発熱体収納装置用冷却装置。
【請求項６】
第１または第２のファンの最高回転数を指令する運転指令を有する請求項２記載の発熱体収納装置用冷却装置。
【請求項７】
第１または第２のファンの最低回転数を指令する運転指令を有する請求項２記載の発熱体収納装置用冷却装置。
【請求項８】
制御装置は、所定の時間ごとに複数回受信信号のＨｉとＬｏｗを検知し、これら検知したＨｉおよびＬｏｗの論理を照合する複数回照合手段を設けたことを特徴とする請求項１から７記載の発熱体収納装置用冷却装置。
【請求項９】
請求項１から８に記載の発熱体収納装置用冷却装置を備えた発熱体収納装置。
【発明の詳細な説明】
【技術分野】
【０００１】
本発明は、発熱体収納装置用冷却装置およびそれを用いた発熱体収納装置に関するものである。
【背景技術】
【０００２】
例えば、発熱体収納装置用冷却装置を用いた発熱体収納装置としては携帯電話の基地局があるが、この基地局は、内部に数十アンペア以上の電流が流れる通信機を複数台設け、発生する熱をファンで冷却する構成をしていた。
【０００３】
そして、この発熱体収納装置では、発熱体収納装置用冷却装置は、通信機器側から送信された運転制御信号に基づいてファンを駆動するようにしていた（これに類似する先行文献としては特許文献１を参照）。
【特許文献１】特開２０００−１６１８７５号公報
【発明の開示】
【発明が解決しようとする課題】
【０００４】
上記従来の発熱体収納装置においては、通信機器から一定周期ごとにファンの駆動スピードに対応させたデューティ比を持ったパルス信号（以下、ＰＷＭ信号と称す）を送信して、この信号を発熱体収納装置用冷却装置が受信してデューティ比を計算して、ファンの駆動を行っていた。
【０００５】
このような発熱体収納装置では、先にも記載したように内部に設けた通信機器の動作により数十アンペア以上の電流が流れ通信機器の動作に伴いノイズが発生して、発熱体収納装置用冷却装置の電源にノイズが重畳されることがある。このため、受信側のクロックにブレが生じて一定の周期の検出が乱れ、通信機器からの信号を正しく受け取ることができなくなり、ファンを設定通りに駆動することが困難になることがあった。
【０００６】
そこで、本発明は、ファンを設定通りに駆動することのできる発熱体収納装置用冷却装置およびそれを用いた発熱体収納装置を提供することを目的とするものである。
【課題を解決するための手段】
【０００７】
そして、この目的を達成するめに本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信した信号の一定の方向に変化するエッジを検出するエッジ検出手段と、所定の時間ごとに前記受信信号のＨｉとＬｏｗを検知する信号判断手段と、前記信号判断手段の信号をもとに前記第１および第２の送風ファンの運転指示を行う運転指示手段とを有する構成としたものであり、エッジ検出手段により受信した信号のエッジを検出して信号判断手段により所定の時間ごとにその信号のＨｉとＬｏｗを検出して、信号判断手段の信号をもとに運転指示手段がそれに対応した運転指示を行い第１および第２の送風ファンを正しく駆動することができるという所期の目標を達成するものである。
【０００８】
また、制御装置は、第１および第２の送風ファンの運転状態を検出する運転状態判断手段を備え、運転指示手段は、運転状態判断手段の信号と信号判断手段の信号をもとに前記第１および第２の送風ファンの運転指示を行う構成としたものであり、第１の送風ファンまたは第２の送風ファンの状態を確認しながら運転指令を発信することができ、第１および第２の送風ファンを設定通りに駆動することができる。
【０００９】
また、制御装置は、運転判断手段の信号を受けて第１および第２の送風ファンの運転状態を発熱体収納装置へ送信する信号置換手段を設けた構成としたものであり、第１および第２の送風ファンの運転状態を発熱体収納装置側へ発信して、その状態に応じた運転指令を受信して、第１および第２の送風ファンを設定通りに駆動することができる。
【００１０】
また、第１または第２のファンの回転数を上げる運転指令と、第１または第２のファンの回転数を下げる運転指令と、第１または第２のファンの状態が最高回転数であることを示す信号と、第１または第２のファンの状態が最低回転数であることを示す信号を有し、発熱体収納装置との間で信号の授受を行う構成としたものであり、第１および第２の送風ファンの運転状態を発熱体収納装置側へ発信して、その状態に応じた運転指令を受信して、第１および第２の送風ファンを設定通りに駆動することができる。
【００１１】
また、第１または第２のファンの異常を示す信号を有する構成としたものであり、第１および第２の送風ファンの運転状態を発熱体収納装置側へ発信して、異常の場合には第１および第２の送風ファンをすぐに停止させることができる。
【００１２】
また、第１または第２のファンの最高回転数を指令する運転指令を有する構成としたものであり、第１および第２の送風ファンの運転状態を発熱体収納装置側へ発信して、急に回転数を上げる必要がある場合には、第１および第２の送風ファンをすぐに最高回転数にして駆動させることができる。
【００１３】
また、第１または第２のファンの最低回転数を指令する運転指令を有する構成としたものであり、第１および第２の送風ファンの運転状態を発熱体収納装置側へ発信して、急に回転数を下げる必要がある場合には、第１および第２の送風ファンをすぐに最低回転数にして駆動させることができる。
【００１４】
また、制御装置は、所定の時間ごとに複数回受信信号のＨｉとＬｏｗを検知し、これら検知したＨｉおよびＬｏｗの論理を照合する複数回照合手段を設けたことにより、信号判断手段の信号をもとに運転指示手段がそれに対応した運転指示を行い第１および第２の送風ファンを設定通りに駆動することができる。
【００１５】
また、発熱体収納装置用冷却装置を備えた発熱体収納装置を構成するものであり、通信機からの運転指令を正しく受信して、設定通りに第１および第２の送風ファンの駆動を行うことができる発熱体収納装置用冷却装置とそれを用いた発熱体収納装置を提供することができる。
【発明の効果】
【００１６】
以上のように本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信した信号の一定の方向に変化するエッジを検出するエッジ検出手段と、所定の時間ごとに前記受信信号のＨｉとＬｏｗを検知する信号判断手段と、前記信号判断手段の信号をもとに前記第１および第２の送風ファンの運転指示を行う運転指示手段とを有する構成としたものであるので、エッジ検出手段により受信した信号のエッジを検出して信号判断手段により所定の時間ごとにその信号のＨｉとＬｏｗを検出して、信号判断手段の信号をもとに運転指示手段がそれに対応した運転指示を行い、第１および第２送風ファンを設定通りに駆動することを可能とし、発熱体収納装置用冷却装置および発熱体収納装置を提供することができる。
【発明を実施するための最良の形態】
【００１７】
本発明の請求項１記載の発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信した信号の一定の方向に変化するエッジを検出するエッジ検出手段と、所定の時間ごとに前記受信信号のＨｉとＬｏｗを検知する信号判断手段と、前記信号判断手段の信号をもとに前記第１および第２の送風ファンの運転指示を行う運転指示手段とを有するもので、エッジ検出手段により受信した信号のエッジを検出して信号判断手段により所定の時間ごとにその信号のＨｉとＬｏｗを検出して、信号判断手段の信号をもとに運転指示手段が第１および第２の送風ファンの制御を行うという作用を有する。
【００１８】
また、請求項２記載の発明は、制御装置は、第１および第２の送風ファンの運転状態を検出する運転状態判断手段を備え、運転指示手段は、運転状態判断手段の信号と信号判断手段の信号をもとに前記第１および第２の送風ファンの運転指示を行うもので、第１および第２の送風ファンの運転状態に応じて運転指示を行うという作用を有する。
【００１９】
また、請求項３記載の発明は、制御装置が、運転判断手段の信号を受けて第１および第２の送風ファンの運転状態を発熱体収納装置へ送信する信号置換手段を設けたもので、第１および第２の送風ファンの運転状態を発熱体収納装置へ送信することができるという作用を有する。
【００２０】
また、請求項４記載の発明は、第１または第２のファンの回転数を上げる運転指令と、第１または第２のファンの回転数を下げる運転指令と、第１または第２のファンの状態が最高回転数であることを示す信号と、第１または第２のファンの状態が最低回転数であることを示す信号を有し、発熱体収納装置との間で信号の授受を行うもので、発熱体収納装置は、第１および第２のファンの状態が最高回転数または最低回転数に達したか否かを確認しながら運転指令を出すことができるという作用を有する。
【００２１】
また、請求項５記載の発明は、第１または第２のファンの異常を示す信号を有するもので、発熱体収納装置は、第１または第２のファンの異常状態を確認して、適切な運転指令を出すことができるという作用を有する。
【００２２】
また、請求項６記載の発明は、第１または第２のファンの最高回転数を指令する運転指令を有するもので、第１または第２のファンを急速に最高回転数へ制御するこができるという作用を有する。
【００２３】
また、請求項７記載の発明は、第１または第２のファンの最低回転数を指令する運転指令を有するもので、第１または第２のファンを急速に最低回転数へ制御するこができるという作用を有する。
【００２４】
また、請求項８記載の発明は、制御装置は、所定の時間ごとに複数回受信信号のＨｉとＬｏｗを検知し、これら検知したＨｉおよびＬｏｗの論理を照合する複数回照合手段を設けたことを特徴とするもので、通信線に重畳された電気的ノイズを万が一検出タイミングと一致して誤検出した場合でも複数回の検知結果と照合するするため運転指令をご判断することがなく通信機からの運転指令を発熱体収納装置用冷却装置は正しく受信して、設定通りに第１および第２の送風ファンの駆動を行うことができる。
【００２５】
また、請求項９記載の発明は、発熱体収納装置用冷却装置を備えた発熱体収納装置を構成するものであり、通信機からの運転指令を正しく受信して、設定通りに第１および第２の送風ファンの駆動を行うことができる発熱体収納装置用冷却装置とそれを用いた発熱体収納装置を構成するもので、通信機からの運転指令を発熱体収納装置用冷却装置は正しく受信して、設定通りに第１および第２の送風ファンの駆動を行うことができる。
【００２６】
以下、本発明の実施の形態について図面を参照しながら説明する。
【００２７】
（実施の形態１）
図１に示すごとく、ビルディング１の屋上２には携帯電話基地局３が設けられている。携帯電話基地局３は、発熱体収納装置である箱状のキャビネット４と、このキャビネット４内に設けた複数の通信機５と、前記キャビネット４の前面開口部にドアのごとく開閉自在に設けた発熱体収納装置用冷却装置６とにより構成されている。
【００２８】
そして、前記複数の通信機５のうち一つが外部および内部の複数の機器を制御する通信を行う構成となっている。
【００２９】
前記発熱体収納装置用冷却装置６は、図２に示すように、外気（第１環境）用の第１吸気口７と第１吐出口８およびキャビネット４内（第２環境）用の第２吸気口９と第２吐出口１０を有する本体ケース１１と、この本体ケース１１内に設けられた外気（第１環境）用の第１の送風ファン１２およびキャビネット４内（第２環境）用の第２の送風ファン１３と、前記本体ケース１１内において外気（第１環境）の空気とキャビネット４内（第２環境）の空気との熱交換を行う熱交換器１４とを備えている。
【００３０】
また、発熱体収納装置用冷却装置６は、第１の送風ファン１２と第２の送風ファン１３を制御する制御装置１５を備え、この制御装置１５は、発熱体収納装置に対して通信機５と通信線１６で接続されている。
【００３１】
また、制御装置１５は、前記通信機５とともにキャビネット４に供給される外部電源（図示せず）を変換した直流電源（図示せず）に接続される。
【００３２】
さらに、図３に示すように、制御装置１５は、通信線１６に接続されて受信したディジタル信号に含まれる一定の方向へ変化するエッジを検出するエッジ検出手段１７と、このエッジ検出手段１７の検出したエッジから所定の時間を計測する第１タイマー手段１８を有して所定の時間ごとに前記信号の「Ｈｉ」と「Ｌｏｗ」を判断する信号判断手段１９と、この信号判断手段１９の信号を受けて第１の送風ファン１２と第２の送風ファン１３を駆動する運転指示手段２０とで構成される。
【００３３】
すなわち、運転指示手段２０は、前記第１の送風ファン１２と第２の送風ファン１３を制御するインバーター２１に接続されていて、このインバーター２１に信号を供給するものである。
【００３４】
また、運転指示手段２０は、後述する運転状態判断手段２２からの信号を受けて、前記インバーター２１への信号を調整する構成を有する。
【００３５】
さらに、制御装置１５は、インバーター２１から第１の送風ファン１２および第２の送風ファン１３の運転状態を検知し運転指示手段２０へ信号を送る運転状態判断手段２２と、この運転状態判断手段２２の信号を受けて、通信機５へ運転状態をディジタル信号で送信する信号置換手段２３とを備えている。
【００３６】
また、信号置換手段２３は、内部にエッジ発生手段２４と、このエッジ発生手段２４の発生するエッジ信号に合わせ所定の時間を計測する第２タイマー手段２５とを有し、運転状態判断手段２２の信号をディジタル信号に変換する構成を有する。
【００３７】
また、前記第１タイマー手段１８と第２タイマー手段２５は、制御装置１５内に備えたクロック発生装置（図示せず）の発生するクロック信号により所定の時間を計測するものである。
【００３８】
また、信号判断手段１９は、図４に示すようなアルゴリズムを有するものである。すなわち、図５（ａ）に示すように信号のエッジを示す第１番目のパルス信号に続けて第２番目のパルス信号、第３番目のパルス信号、第４番目のパルス信号を有するディジタル信号を受信すると、ステップ１にて、エッジ検出手段１７で受信した信号のエッジを検出して、次にステップ２にて、第１番目のパルス信号の幅を検知するとともに、前記エッジから第１タイマー手段１８は所定の時間を繰り返し計測し、ステップ３にて、第２番目のパルス信号（ｂｉｔ１）の「Ｈｉ」と「Ｌｏｗ」を判断し、さらにステップ４にて、次の所定の時間に第３番目のパルス信号（ｂｉｔ２）の「Ｈｉ」と「Ｌｏｗ」を判断し、さらにステップ５にて、次の所定の時間に第４番目のパルス信号（ｂｉｔ３）の「Ｈｉ」と「Ｌｏｗ」を判断する構成を有するものである。そして、この第１タイマー手段１８で計測した所定の時間ごとに受信した信号の「Ｈｉ」と「Ｌｏｗ」を判断する信号判断手段１９により受信した運転指令を判別するものである。
【００３９】
また、信号置換手段２３は、図６に示すようなアルゴリズムを有するものである。すなわち、図７（ａ）に示すように信号のエッジを示す第１番目のパルス信号に続けて第２番目のパルス信号、第３番目のパルス信号、第４番目のパルス信号を有するディジタル信号を生成して、通信機５へ送信する構成を有する。
【００４０】
すなわち、エッジ発生手段２４が発生したエッジ信号にあわせて第２タイマー手段２５が所定時間を計測し、その所定時間ごとに運転状態判断手段２２の信号を「Ｈｉ」または「Ｌｏｗ」のディジタル信号に置き換えるものである。
【００４１】
さて、以上のような構成によれば、図５（ａ）に示すように通信機５が発信し運転指令信号を受信した発熱体収納装置用冷却装置６は制御装置１５により、その信号のエッジをエッジ検出手段１７にて検出して、そのエッジの検出にあわせて第１タイマー手段１８が計測する所定時間ごとに信号判断手段１９は「Ｈｉ」と「Ｌｏｗ」の判断を行い運転指令信号をディジタル信号として読み込むこととなる。
【００４２】
ところが、通信機５は１ＧＨｚや２．５ＧＨｚといった数ＧＨｚもの高周波信号を増幅などの処理をしており、この高周波信号の処理の際に発生する電気的ノイズにより、通信機５から発熱体収納装置用冷却装置６の電源にノイズが重畳されて電源電圧が揺らぐことがある。このため、図８に示すように制御装置１５内のクロック発生装置（図示せず）の発信クロックにブレが生じて、第１タイマー手段１８の計測する所定時間Ｔが例えばＴ１＞Ｔ、Ｔ２＜Ｔ、Ｔ３＝Ｔといったように揺らいでしまう。
【００４３】
しかし、以上のような状況のなかでも確実に運転指令を受信するために、本実施例のように、エッジ検出手段１７にてエッジを検知して、第１タイマー手段１８は、所定時間間隔Ｔを計測し、この所定時間ごとに信号判断手段１９が「Ｈｉ」と「Ｌｏｗ」の判断をする構成とすることで所定時間Ｔが揺らいでも正しく受信信号を読み込んで運転指令を判断することが極めて有効となる。
【００４４】
そして、これらの結果として、通信機からの運転指令を正しく受信して、設定通りに第１の送風ファン１２および第２の送風ファン１３の駆動を行うことができる発熱体収納装置用冷却装置とそれを用いた発熱体収納装置を提供することができる。
【００４５】
また、特に図示していないが、周期Ｔに基づき第２番目以降のパルス信号の「Ｈｉ」と「Ｌｏｗ」を検出し判断しているが、ここで複数回の検出を行い、これら検出結果を照合し、多くの検出結果が例えば「Ｈｉ」であれば「Ｈｉ」と決定する複数回照合を行うことで前述した電気的ノイズが通信線に重畳されたパルス信号の波形が乱されたとしても正しく運転指令を判断することができる。
【００４６】
また、特に図示していないが、従来の発熱体収納装置用冷却装置ようにＰＷＭ信号の周期に対するパルス幅比（＝デューティ比）にファンの運転指示指令としての情報を持たせると、ＰＷＭ信号の伝達の過程に於いてパルス幅が変化することは情報の品質を維持することからも許されず、ＰＷＭ信号を伝達する電子部品のスイッチング特性は、例えば周期Ｔが５００μｓ（周波数２ｋＨｚ）においては、オン・オフ速度が１μｓ程度（周期比０．２％）で且つオン・オフの遅れ時間も１μｓ程度（周期比０．２％）の電子部品を用いる必要がある。しかし、本実施の形態のように、パルス信号の「Ｈｉ」「Ｌｏｗ」にファンの運転指示指令としての情報を持たせると、パルス信号の読み取りタイミングとしての周期Ｔまで波形が鈍ることが情報の品質を維持する上でも許容される。例えば周期Ｔが５００μｓ（周波数２ｋＨｚ）においては、５００μｓまで波形が鈍ることが許されこととなる。そして、オン・オフ速度が１０μｓ程度（周期比２．０％）で且つオン・オフの遅れ時間も１０μｓ程度（周期比２．０％）といった従来の発熱体収納装置用冷却装置に比べて１／１０の速度でも充分となり、汎用的で安価な電子部品を用いることができる。これにより安価な電子部品で構成された装置を実現することができる。
【００４７】
なお、ここでは、運転指令とての受信信号を３ｂｉｔ、通信機への送信信号を２ｂｉｔで説明しているが幾重のｂｉｔ数を用いても作用効果に差はない。
【００４８】
（実施の形態２）
さて、本実施の形態では、実施の形態１の発熱体収納装置用冷却装置６についてさらに通信機５から送信された運転指令信号と通信機５へ送信する第１の送風ファン１２および第２の送風ファン１３の状態の信号の授受について説明する。
【００４９】
なお、実施の形態１と同一構成部分については、理解を容易にするために、同一符号を用い、その詳細な説明を簡略化する。
【００５０】
本実施の形態の特徴となる構成について以下に説明をする。
【００５１】
図５（ａ）に示す通信機５から送信された運転指令の信号は、図５（ｂ）に示すようにファン回転数をＵＰする（上げる）ものと、ファン回転数をＤｏｗｎする（下げる）ものと、ファン回転数を最高回転数にするものと、ファン回転数を最低回転数にするものと、ファンの回転を停止するものとで構成する。そしてこれらの情報をディジタル信号として実施の形態１で説明をしたように信号判断手段１９にて判断をするものである。
【００５２】
一方、第１の送風ファン１２および第２の送風ファン１３の状態を示す信号は、図７（ｂ）ファン回転数が最高回転であることを示すものと、ファン回転数が最低回転数であることを示すものとファンが異常であることを示すものとで構成する。そしてこれらの情報を信号置換手段２３にて図７（ａ）に示すようなディジタル信号に変換して、通信機５へ送信するものである。
【００５３】
以上のようにして、通信機５は、発熱体収納装置用冷却装置６側から発する第１の送風ファン１２および第２の送風ファン１３の状態の信号を受信して、キャビネット４内の温度状態を確認しながら、通常は、回転数をＵＰまたは回転数をＤｏｗｎする指令を発して、キャビネット４内の温度を所定の範囲内に保つことができる。そして、第１の送風ファン１２および第２の送風ファン１３の回転を急に上げたい場合は、最高回転数にする指令を発し、また、回転を急に下げたい場合は、最低回転数にする指令を発して、キャビネット４内の温度を調整することが可能となる。また、発熱体収納装置用冷却装置６からファンが異常であることを示す信号が発信されると、通信機５は、これを受信して、すみやかに、ファン停止信号を発熱体収納装置用冷却装置６へ送信して、第１の送風ファン１２および第２の送風ファン１３を停止させることができる。
【００５４】
また、本実施の形態のなかで、運転状態判断手段２２が運転指示手段２０へ第１の送風ファン１２または第２の送風ファン１３の異常を伝達することでいち早く運転を停止させることができる。
【００５５】
以上のように、本実施の形態によれば、通信機５と発熱体収納装置用冷却装置６との間で、信号の授受を行うことで、通信機５は、第１の送風ファン１２や第２の送風ファン１３の運転状況を確認しながら、運転指令の信号を発熱体収納装置用冷却装置６へ送信することができ、また、発熱体収納装置用冷却装置６は、第１の送風ファン１２や第２の送風ファン１３の運転状態を通信機５へ伝達しながら通信機５から運転指令を受けてこれら第１の送風ファン１２および第２の送風ファン１３の運転を設定通りに行うことができる。
【産業上の利用可能性】
【００５６】
以上のように本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信した信号の一定の方向に変化するエッジを検出するエッジ検出手段と、所定の時間ごとに前記受信信号のＨｉとＬｏｗを検知する信号判断手段と、前記信号判断手段の信号をもとに前記第１および第２の送風ファンの運転指示を行う運転指示手段とを有する構成としたことで、通信機器からの信号を正しく受け取ることができるようになり、ファンを設定通りに駆動することのできる発熱体収納装置用冷却装置を提供することができる。従って、例えば、通信機器の基地局や、その他屋外設置機器における冷却設備としてきわめて有用なものとなる。
【図面の簡単な説明】
【００５７】
【図１】本発明の一実施形態の設置例を示す斜視図
【図２】同発熱体収納装置用冷却装置の断面図
【図３】同制御装置のブロック図
【図４】同信号判断手段による運転指令信号の判断アルゴリズムを示すフローチャート
【図５】同運転指令信号を表す図（（ａ）信号の図、（ｂ）運転指令信号の内容を示す図）
【図６】同信号置換手段によるファンの状態をディジタル信号化するアルゴリズムを示すフローチャート
【図７】同第１および第２の送風ファンの状態を示す信号を表す図（（ａ）信号の図、（ｂ）ファンの状態の内容を示す図）
【図８】同実施の形態のノイズの影響を受けたときの信号判断を説明する図
【符号の説明】
【００５８】
１    ビルディング
２    屋上
３    携帯電話基地局
４    キャビネット
５    通信機
６    発熱体収納装置用冷却装置
７    第１吸気口
８    第１吐出口
９    第２吸気口
１０  第２吐出口
１１  本体ケース
１２  第１の送風ファン
１３  第２の送風ファン
１４  熱交換器
１５  制御装置
１６  通信線
１７  エッジ検出手段
１８  第１タイマー手段
１９  信号判断手段
２０  運転指示手段
２１  インバーター
２２  運転状態判断手段
２３  信号置換手段
２４  エッジ発生手段
２５  第２タイマー手段
【図１】
2010098216.tif 000003
【図２】
2010098216.tif 000004
【図３】
2010098216.tif 000005
【図４】
2010098216.tif 000006
【図５】
2010098216.tif 000007
【図６】
2010098216.tif 000008
【図７】
2010098216.tif 000009
【図８】
2010098216.tif 000010